(57)【特許請求の範囲】
【請求項１】
ガラスカーテンウォールの内側にこれをアウターガラスとしてこれに一定の間隔をあけて配するダブルガラススキン用のインナーガラススキン構造であって、
前記アウターガラスに対面すべく該アウターガラスの内側に一定間隔をあけて配するインナーガラス用の複数の板ガラスであって、その各々の四辺を剛性を有する枠体で支持していない複数の板ガラスと、
前記複数の板ガラスの各々の下部に配した戸車と、
前記複数の板ガラスの直下の床面に配した下部レール部材及び該複数の板ガラスの直上の天井部に配した該下部レール部材と対になる上部レール部材であって、前記戸車を介してインナーガラス用の板ガラスの下部を移動自在に支持する下部レール部材及び該板ガラスの直上を移動自在に支持する上部レール部材と、
前記アウターガラスと前記インナーガラスの間に位置する支持手段に構成した隣接する各一対の板ガラスの各側部の高さ方向の途中を固定保持する固定手段であって、該隣接する各一対の板ガラスの室内側からそれらの隙間を通じて手を挿入して隣接する各一対の板ガラスの各側部に対する固定保持を解除することが可能な固定手段と、
で構成したダブルガラススキン用のインナーガラス構造。
【請求項２】
前記上部レール部材及び下部レール部材を相互に上下対応する各一本のレール部材で構成し、
前記上部レール部材及び下部レール部材の上下対応する一部に、隣接する位置の板ガラスを退避させることができる板ガラスの退避部を構成し、かつ該退避部の室内側に該退避部をカバーするガラスカバーを施した請求項１のダブルガラススキン用のインナーガラススキン構造。
【請求項３】
前記固定手段を、
前記支持手段に固設した枠体と、
前記枠体に固設した軸案内部材と、
前記軸案内部材に回転自在かつ進退自在に配した軸部材と、
前記軸部材の先端に配した係止片であって、該軸部材の進出時に、該軸部材の周方向の一定範囲の角度で、対応する隣接する一対の板ガラスの両側部に配した両掛止部材にその各端部を係止し、周方向の他の範囲の角度で該各端部の係止が解除される係止片と、
前記軸部材の進出状態でその周方向の角度を前記一定範囲の角度に保持する角度保持手段であって、その角度保持をワンタッチ操作で解除することができる角度保持手段と、
前記軸部材を進出方向に付勢する付勢手段と、
前記軸部材を、前記係止片を前記両掛止部材から係止解除した上で、後退させた場合に、その周方向の角度を変更することで、前記付勢手段によるその進出動作を阻止する進出阻止手段と、
で構成した請求項２のダブルガラススキン用のインナーガラススキン構造。
【請求項４】
前記板ガラスとして複層ガラスを用いた請求項１、２又は３のダブルガラススキン用のインナーガラススキン構造。
【請求項５】
前記支持手段として、前記アウターガラス支持用の方立又は躯体に固設した新設の支柱部材を採用した請求項１、２、３又は４のダブルガラススキン用のインナーガラススキン構造。
【請求項６】
前記固定手段を、隣接する各一対の板ガラスの側部の高さ方向の途中の複数箇所を固定保持すべく対応する複数箇所に設置した請求項、２、３、４又は５のダブルガラススキン用のインナーガラススキン構造。
【発明の詳細な説明】
【技術分野】
【０００１】
本発明は、種々の物品の販売店や飲食店又は事務所等を構成する建物に設置されるダブルガラススキンにおけるインナーガラススキンを構成するダブルガラススキン用のインナーガラススキン構造に関する。
【背景技術】
【０００２】
室内の冷房時には日射等による窓面熱負荷の低減を図り、暖房時には日射等により暖められた空気を熱回収することで暖房効率を向上させようとして、若しくは、断熱窓としての機能と放熱窓としての機能を発揮させるべく、窓等の開口部を必要な構成要素を備えた二重ガラスにする構成の提案があり、特許文献１、２はその種の提案である。
【０００３】
特許文献３は、既設のガラスカーテンウォールの内側に、該ガラスカーテンウォールの支持のために配してある方立を利用して、その室内側の部位にインナーガラスウォールとなるインナーサッシを取り付け、後付で室内側からの工事のみでダブルガラススキンを構成し、冷暖房効率を向上させることができるようにしたものである。
【０００４】
従ってこの特許文献３の発明によれば、既設のガラスカーテンウォールの内側に後付のインナーサッシを配してダブルガラススキンを構成できるものではあるが、文字通り、インナーサッシを配するものであり、枠体による支持のない板ガラスを配することのできるものではない。枠体により、大開口に採用する大型の板ガラスでも剛性不足を補うことが可能になるが、意匠的には、該枠体が目障りとなる問題点がある。
【先行技術文献】
【特許文献】
【０００５】
【特許文献１】実開昭６０−８３８３０号公報
【特許文献２】特開２００２−２０６３７６号公報
【特許文献３】特開２０１０−１４４４７５号公報
【発明の概要】
【発明が解決しようとする課題】
【０００６】
本発明は、ガラスカーテンウォールの内側に、それと共にダブルガラススキンを構成するインナーガラススキンを構成するダブルガラススキン用のインナーガラススキン構造であって、意匠に優れたサッシレスの板ガラス（複層ガラスを含む）で構成し、その剛性不足を補い得る構成を備え、それ故、大きな面積の開口部に用いる場合であっても十分な耐震性を備え、かつ設置したそれのメンテナンスも容易であるダブルガラススキン用のインナーガラススキン構造を提供することを解決の課題とする。
【課題を解決するための手段】
【０００７】
本発明の１は、ガラスカーテンウォールの内側にこれをアウターガラスとしてこれに一定の間隔をあけて配するダブルガラススキン用のインナーガラススキン構造であって、
前記アウターガラスに対面すべく該アウターガラスの内側に一定間隔をあけて配するインナーガラス用の複数の板ガラスであって、その各々の四辺を剛性を有する枠体で支持していない複数の板ガラスと、
前記複数の板ガラスの各々の下部に配した戸車と、
前記複数の板ガラスの直下の床面に配した下部レール部材及び該複数の板ガラスの直上の天井部に配した該下部レール部材と対になる上部レール部材であって、前記戸車を介してインナーガラス用の板ガラスの下部を移動自在に支持する下部レール部材及び該板ガラスの直上を移動自在に支持する上部レール部材と、
前記アウターガラスと前記インナーガラスの間に位置する支持手段に構成した隣接する各一対の板ガラスの各側部の高さ方向の途中を固定保持する固定手段であって、該隣接する各一対の板ガラスの室内側からそれらの隙間を通じて手を挿入して隣接する各一対の板ガラスの各側部に対する固定保持を解除することが可能な固定手段と、
で構成したダブルガラススキン用のインナーガラス構造である。
【０００８】
本発明の２は、本発明の１のダブルガラススキン用のインナーガラススキン構造において、
前記上部レール部材及び下部レール部材を相互に上下対応する各一本のレール部材で構成し、
前記上部レール部材及び下部レール部材の上下対応する一部に、隣接する位置の板ガラスを退避させることができる板ガラスの退避部を構成し、かつ該退避部の室内側に該退避部をカバーするガラスカバーを施したものである。
【０００９】
本発明の３は、本発明の２のダブルガラススキン用のインナーガラススキン構造において、
前記固定手段を、
前記支持手段に固設した枠体と、
前記枠体に固設した軸案内部材と、
前記軸案内部材に回転自在かつ進退自在に配した軸部材と、
前記軸部材の先端に配した係止片であって、該軸部材の進出時に、該軸部材の周方向の一定範囲の角度で、対応する隣接する一対の板ガラスの両側部に配した両掛止部材にその各端部を係止し、周方向の他の範囲の角度で該各端部の係止が解除される係止片と、
前記軸部材の進出状態でその周方向の角度を前記一定範囲の角度に保持する角度保持手段であって、その角度保持をワンタッチ操作で解除することができる角度保持手段と、
前記軸部材を進出方向に付勢する付勢手段と、
前記軸部材を、前記係止片を前記両掛止部材から係止解除した上で、後退させた場合に、その周方向の角度を変更することで、前記付勢手段によるその進出動作を阻止する進出阻止手段と、
で構成したものである。
【００１０】
本発明の４は、本発明の１、２又は３のダブルガラススキン用のインナーガラススキン構造において、
前記板ガラスとして複層ガラスを用いたものである。
【００１１】
本発明の５は、本発明の１、２、３又は４のダブルガラススキン用のインナーガラススキン構造において、
前記支持手段として、前記アウターガラス支持用の方立又は躯体に固設した新設の支柱部材を採用することができる。
【００１２】
本発明の６は、本発明の１、２、３、４又は５のダブルガラススキン用のインナーガラススキン構造において、
前記固定手段を、隣接する各一対の板ガラスの側部の高さ方向の途中の複数箇所を固定保持すべく対応する複数箇所に設置したものである。
【発明の効果】
【００１３】
本発明の１のダブルガラススキン用のインナーガラススキン構造によれば、既設又は新設のガラスカーテンウォール（アウターガラス）の内側にインナーガラスを設置して容易にダブルガラススキンを構成し、ダブルガラススキンによる効果、すなわち、室内の冷房時には日射等による窓面熱負荷の低減を図り、暖房時には日射等により暖められた空気を熱回収することで暖房効率を高めることができるというような効果を得ることができる。
【００１４】
本発明の１のインナーガラススキン構造によれば、前記のようなダブルスキン構造を、建築物の大開口部においても、インナーガラスとして用いる板ガラスに剛性を確保するための枠体を用いず、それ故に優れた意匠性を確保しながら、剛性不足の問題を解決することができる。すなわち、本発明の１のインナーガラススキン構造では、インナーガラスとして用いる板ガラスは、隣接する一対のそれ毎に高さ方向の途中の各側部を固定手段でスポット的に固定保持することにより、意匠性を損ねずに、その剛性不足を解消することが可能となっている。それ故に耐震性を確保することもできる。またその固定手段は、必要に応じてその固定保持を解除することが可能であり、かつインナーガラススキンを構成する板ガラスは上部レール部材と下部レール部材とで移動可能に構成してあるため、固定手段による固定保持を解除すれば、該上部レール部材と下部レール部材のその案内方向に沿って移動させることが可能であり、ダブルガラススキンの内側の清掃やその他の種々のメンテナンスを容易に行うことができるものでもある。
【００１５】
本発明の２のダブルガラススキン用のインナーガラススキン構造によれば、上部レール部材及び下部レール部材を上下対応する一本ずつで構成したため、インナーガラスを構成する板ガラスは同一面内に直列に配列され、平坦な美しい意匠を構成することができるが、そうでありながら、その一列の一部に板ガラスの退避部を構成し、必要に応じて該退避部にこの部位に隣接する板ガラスを退避させることで、その板ガラスの配置してあった位置を空け、必要に応じて更に一つずつ順次板ガラスを空いたスペースに移動させることにより、いずれの部位に位置する板ガラスであってもこれを隣接する位置に移動させ、その設置した位置を空けることが可能となっている。またその退避部は、ガラスカバーを配してあるので、全体として違和感のない構成となっている。
【００１６】
なお、本発明の２のインナーガラススキン構造は、以上のように、上下に対応する各一本の上部レール部材と下部レール部材とで同一平面内に位置する複数の板ガラスによるインナーガラスを構成しているが、前記本発明の１は、このような構成に限定されるわけではなく、上下に対応する各二本の上部レール部材と下部レール部材とで平行な二つの面内に位置する板ガラスによる引き違い型のインナーガラスを構成することも可能である。
【００１７】
本発明の３のダブルガラススキン用のインナーガラススキン構造によれば、簡単な操作で、インナーガラススキンを構成する隣接する一対の板ガラスの側部を同時にその高さ方向の途中で固定保持することができる。これによって、大開口を閉じる高さ方向寸法の大きな板ガラスであっても、その剛性の不足を、四辺を抱える枠体を用いることなく補うことが可能となる。それ故に剛性を保持して十分な耐震性を確保しながら意匠性に優れたインナーガラススキンを構成することができる。
【００１８】
本発明の４のダブルガラススキン用のインナーガラススキン構造によれば、一層高い断熱性を確保し、冷暖房効率等を高めることができる。
【００１９】
本発明の５のダブルガラススキン用のインナーガラススキン構造によれば、前記固定手段をインナーガラススキンを構成する隣接する各一対の板ガラスの適切な高さ位置に設置して該各一対の板ガラスを確実に固定保持することができる。また柱状部材で固定手段を支持することで意匠性を損ねないようにすることもできる。
【００２０】
本発明の６のダブルガラススキン用のインナーガラススキン構造によれば、インナーガラスを構成する板ガラスをその高さ方向の複数箇所で保持することができるものであり、その高さ位置を適切に設定することにより、大開口に設置する高さ寸法の非常に大きな板ガラスであってもその剛性不足を意匠性を損ねずに補うことが可能になる。
【図面の簡単な説明】
【００２１】
【図１】実施例のダブルガラススキン用のインナーガラススキン構造の概略平面説明図。
【図２】実施例のインナーガラススキンの一部を室内側から見た概略説明図。
【図３】(a)はインナーガラススキンを構成する板ガラスの設置状態の概略側面図、(b)は(a)の一部切欠拡大図。
【図４】(a)は図２のＢ部の拡大図、(b)は図２のＣ部の拡大図。
【図５】(a)はインナーガラススキンを構成する板ガラスの下端付近の戸車を設置した部位の縦断面図、(b)は上端付近の縦断面図。
【図６】(a)はインナーガラススキンを構成する板ガラスの上端付近の設置状態を示す側面図、(b)は下端付近の設置状態を示す側面図。
【図７】(a)は図２のＡ−Ａ線拡大断面図、(b)は固定手段との結合部以外の部位の断面平面図。
【図８】インナーガラススキンを構成する隣接する二枚の板ガラスの下方の結合部付近の室内側から見た拡大図。
【図９】(a)はインナーガラススキンを構成する隣接する二枚の板ガラスの上方の結合部付近の側面から見た拡大図、(b)は下方の結合部付近の側面から見た拡大図。
【図１０】(a)は固定手段の側面図、(b)は(a)のＤ−Ｄ線断面図、(c)は(a)のＥ−Ｅ線断面図、(d)は(a)のＦ−Ｆ線断面図、(e)は(a)のＧ−Ｇ線断面図。
【図１１】(a)は枠体の側板を省略した状態の固定手段の側面図、(b)は枠体の側板を省略し、軸案内部及び角度保持部を断面した固定手段の側面図、(c)は固定手段の平面図。
【図１２】(a)は板ガラスの固定保持状態の固定手段の一部切欠側面図、(b)は角度保持部を押し下げ、軸部材の回動を許容する状態の固定手段の一部切欠側面図、(c)は軸部材を９０度回転させた状態の固定手段の一部切欠側面図（角度保持手段は復帰上昇状態）。
【図１３】(a)は軸部材を後退させた状態の固定手段の一部切欠側面図、(b)は軸部材を９０度逆回転させ、後退状態を固定した状態の固定手段の一部切欠側面図。
【発明を実施するための形態】
【００２２】
発明を実施するための形態を実施例に基づき図面を参照しながら詳細に説明する。
【００２３】
この実施例のダブルガラススキン用のインナーガラススキン構造は、図１〜図９に示すように、基本的に、アウターガラス１に対面すべく該アウターガラス１の内側に一定間隔をあけて直列に配するインナーガラス用の複数の板ガラス２、２…と、該複数の板ガラス２、２…の各々の下部に二個ずつ配した戸車３、３…と、該複数の板ガラス２、２…の直下の床面ｆに配した下部レール部材４及び該複数の板ガラス２、２…の直上の天井ｒ側に配した該下部レール部材４と対になる上部レール部材５と、インナーガラス用の各隣接する板ガラス２、２の隣接部近傍に天井ｒ側から垂下させた上部支持支柱（支持手段）７ａ及び床面ｆから立ち上げた下部支持支柱（支持手段）７ｂと、該上部支持支柱７ａの下端及び下部支持支柱７ｂの上端にそれぞれ取り付けた固定手段６、６と、各隣接する板ガラス２、２の各側端部の各々二箇所に設けた各固定手段６、６との結合用の掛止部材８、８とで構成したものである。
【００２４】
前記アウターガラス１は、既設のそれでも新設のそれでも良い。種々の商品（自動車等）やサービス（銀行業務等）の提供用の店舗を構成する建築物の開口部に配するものである。
【００２５】
前記板ガラス２は、図３(a)、(b)、図５、図６(a)、(b)及び図７(a)、(b)に示すように、この実施例では、両面二枚の長方形の支分ガラス２ａ、２ａを間隔をあけて対面状態に配し、それらの四辺に沿って介在させた結合材２ｂにより間隔を適切に保持しながら結合し、かつその縦縁の結合材２ｂの内側に乾燥剤２ｃを配して構成した複層ガラスを採用した。この板ガラス２としては、これに限らず、単板のガラスやこれと違ったタイプの複層ガラスを採用することも自由である。
【００２６】
該板ガラス２は、図４(a)、(b)及び図７(b)に示すように、その両側辺には、平面視Ｌ型の介在片２ｄを介して同様に平面視Ｌ型のアルミニウム製カバー部材である縁部材２ｅが接合貼着してある。この縁部材２ｅは、特に図７(b)に示すように、そのＬ型の内の下部横片２ｅ１で板ガラス２の内面側縁部を被覆し、縦片２ｅ２で該板ガラス２の端部を被覆するように配したものであるが、更にその縦片２ｅ２の最上部、すなわち、該板ガラス２の端部の最外面側に貼着した部位には弾力性で平面視Ｖ型の閉塞片２ｆを接合してある。該閉塞片２ｆは、同図に示すように、Ｖ型の一方の斜辺を縁部材２ｅの上記部位に接合固定してあるため、該斜辺が該縁部材２ｅと平行になり、Ｖ型の他方の斜辺が外方を向いて斜めに突き出した状態となる。それ故、隣接する板ガラス２、２に対向状態に接合固設された両側の閉塞片２ｆ、２ｆは、該板ガラス２、２の設置状態では、同図に示すように、他の斜辺の先端部相互が当接状態となり、平面から見てＭ型又はＷ型に見える状態となる。こうして各隣接する板ガラス２、２…の間でもインナーガラスの内側と外側とは隔離された状態になる。
【００２７】
なお、前記縁部材２ｅは、図７(a)に示すように、隣接する板ガラス２、２の各側端部の前記固定手段６で固定する部位付近では、後述するように、前記固定手段６の係止片６ａの先端部と係止する前記掛止部材８の取付部８ａを介して該板ガラス２の端部付近に取り付ける。
【００２８】
該掛止部材８の取付部８ａは、図７(a)に示すように、平面視コ字形乃至逆コ字形であり、板ガラス２の該当する側端部に、緩衝材及び接着剤を介して、該コ字形乃至逆コ字形の部分で抱えた状態にして接合固定するものである。前記縁部材２ｅは、同図に示すように、かつ以上のように、板ガラス２の側端部の該当部位に取り付けた掛止部材８の取付部８ａを介して取り付けるものであり、その取付状態は、前記介在片２ｄを介して取り付ける部位のそれと同様である。また前記閉塞片２ｆは、この部位でも、同様の構成であり、図７(a)に示すように、前記他の部位に取り付けるそれと全く同様の態様で取り付ける。
【００２９】
該掛止部材８は、前記取付部８ａと掛止片部８ｂとからなり、該掛止片部８ｂは、図７(a)に示すように、その一方の横片８ａ１、同図中では、上側の横片８ａ１を更に延長して幅の狭いコ字形乃至逆コ字形に折り返して構成したものである。前記取付部８ａのコ字形部乃至逆コ字形部は、板ガラス２の側端部を抱えうる寸法であるが、この掛止片部８ｂを構成するコ字形部又は逆コ字形部は、前記固定手段６の係止片６ａを係止しうる小寸法に構成したものである。
【００３０】
前記戸車３は、図２、図３(a)、(b)、図４(b)、図５(a)及び図６(b)に示すように、各板ガラス２の下端に取り付けて、前記下部レール部材４上をスムーズに移動可能にするための部材である。該戸車３は、特に図２に示すように、この実施例では、板ガラス２毎にその下端部に２個ずつ取り付ける。図５(a)及び図６(b)に示すように、個々の戸車３は、板ガラス２の下端面に接合固定した緩衝材２ｇ及びその下面に固設した逆Ｕ字形の取付片３ａを介してブラケット３ｂを取り付け、該ブラケット３ｂに回転自在に取り付けたものである。ブラケット３ｂの向きは、当然、該板ガラス２の両面と平行になるように設定してあり、戸車３は、その方向に転動可能なように配してある。なお、該ブラケット３ｂは、その上面を該取付片３ａの下面中央に接合固定してある。また該逆Ｕ字形の取付片３ａの両側の垂下片には、板ガラス２の両面側に延長する状態で補助片３ｃ、３ｃが接合してある。
【００３１】
戸車３は、特に図５(a)及び図６(b)に示すように、その周端に全周に渡って溝が形成してあり、前記下部レール部材４の突条部４ａ１に良好に係合しつつ転動できるようになっている。
【００３２】
この実施例では、戸車３は、以上のように構成し、以上のように取り付けたものであるが、これに限定されるわけではない。適当な下部レール部材上を転動移動可能な種々の構成のそれを自由に採用可能である。
【００３３】
前記下部レール部材４は、図２、図３(a)、(b)及び図６(b)に示すように、板ガラス２、２…を設置すべきラインに沿って床面ｆ上に直列に設置したものである。この下部レール部材４は、特に図６(b)に示すように、端面視Ｕ字状の長尺部材である下部材４ｂと同様にＵ字状の長尺部材である上部材４ａとからなり、該下部材４ｂを板ガラス２、２…の設置ラインに沿って設置し、これに上部材４ａを固設するようになっている。
【００３４】
該下部材４ｂは、その底面を中央に沿って複数箇所で床面ｆに固定する。床面ｆへの固定は、この実施例では、床スラブに固設したアンカーボルト４ｂ２に固定することで行っている。
【００３５】
前記上部材４ａは、前記のように、Ｕ字形を基本とする長尺部材であるが、そのＵ字形の両側片４ａ２、４ａ２間の寸法は、前記板ガラス２の厚さを若干越えるそれに設定したものである。該上部材４ａの底部下面側には下部材４ｂのＵ字形の両側片４ｂ１、４ｂ１を僅かに越える間隔の一対の取付片４ａ３、４ａ３が垂下構成してあり、底部上面側にはその中央に沿って端面視三角形の前記突条部４ａ１が構成してある。またこの上部材４ａには、その両側片４ａ２、４ａ２の最上部の内側に内側に向けて延ばしたブラシ部材からなるブラシ部４ａ４、４ａ４が構成してある。
【００３６】
該上部材４ａは、図６(b)に示すように、その両取付片４ａ３、４ａ３を前記下部材４ｂの両側片４ｂ１、４ｂ１に外側から接する状態に配置し、その両取付片４ａ３、４ａ３とその両側片４ｂ１、４ｂ１とを複数箇所でネジ止めして結合することにより、下部材４ｂに固設するものである。こうした上で、同図に示すように、上記両取付片４ａ３、４ａ３の外側をカバー材４ｃ、４ｃでカバーする。
【００３７】
前記上部レール部材５は、図２、図３(a)、(b)及び図６(a)に示すように、板ガラス２、２…を設置すべきラインに沿って天井ｒ部を支持する横架材（躯体）ｒ１に中間材５ｂを介して設置したものである。この上部レール部材５は、特に図６(a)に示すように、逆Ｕ字状の長尺部材であり、その逆Ｕ字形部の両側片５ａ、５ａの下端直上の内側に、内方に向けて延ばしたブラシ部材からなるブラシ部５ｃ、５ｃが構成してある。
【００３８】
こうして、下部レール部材４の突条部４ａ１に戸車３を載せた状態でその両側片４ａ２、４ａ２の間に該板ガラス２の下部を装入し、上部レール部材５の両側片５ａ、５ａの間に該板ガラス２の上部を装入状態にセットすると、該板ガラス２の下部途中は前記ブラシ部４ａ４、４ａ４で挟まれ、異物の下部レール部材４中への侵入が防止されつつ、必要な場合の該板ガラス２の移動は許容されることになる。また該板ガラス２の上部は、必要な場合の移動を許容されつつ、ブラシ部５ｃ、５ｃにより上部レール部材５の中央に維持されることになる。
【００３９】
以上のようにして構成される下部レール部材４及びこれに上下対応する上部レール部材５は前記アウターガラス１の全長に渡って該アウターガラス１と並列して構成する。その一部、この実施例では、図１に示すように、一端のほぼ板ガラス２の一枚分の長さを退避部９とし、その部分の下部レール部材４及び上部レール部材５には、板ガラス２を配置せず、隣接する位置に位置する板ガラス２をその退避部９内に移動可能にしておくものとする。該退避部９を構成する下部レール部材４及び上部レール部材５の室内側には、ガラスで構成したカバー材９ｃを設置する。なお、この実施例では、退避部９を板ガラス２のほぼ一枚分の長さとしたが、これに限定されない。これより短く又は長く構成することもできる。
【００４０】
前記固定手段６は、図７(a)、図８、図９(a)、(b)、図１０(a)〜(e)、図１１(a)〜(c)、図１２(a)〜(c)及び図１３(a)、(b)に示すように、前記上部支持支柱７ａの下端及び前記下部支持支柱７ｂの上端にそれぞれ固設する底板６ｂ１、両側板６ｂ２、６ｂ２及び背板６ｂ３からなる枠体６ｂと、該枠体６ｂの底板６ｂ１に下面で固設した軸案内部材６ｃと、該軸案内部材６ｃの軸穴６ｃｈに回転自在かつ進退自在に挿入した軸部材６ｄと、該軸部材６ｄの先端にその中心を結合した該軸部材６ｄと直交する向きの長板状の係止片６ａと、該軸部材６ｄの進出状態でその周方向の角度を該係止片６ａが水平状態となる角度に保持し、それ自体を下降させるワンタッチ操作でその保持を解除することができる角度保持手段６ｅと、前記軸部材６ｄを進出方向に付勢するコイルバネ（付勢手段）６ｆと、前記軸部材６ｄを、一定の場合に後退可能とし、後退させた場合に、前記係止片６ａの周方向の角度を水平以外に変更することで、前記コイルバネ６ｆによる進出を阻止する進出阻止手段６ｇと、で構成したものである。
【００４１】
前記枠体６ｂは、図７(a)、図９(a)、(b)、図１０(a)〜(e)、図１１(a)〜(c)、図１２(a)〜(c)及び図１３(a)、(b)に示すように、かつ前記したように、前記上部支持支柱７ａの下端及び前記下部支持支柱７ｂの上端にそれぞれ固設する底板６ｂ１と、該底板６ｂ１の両側部から立ち上がる両側板６ｂ２、６ｂ２と、前記底板６ｂ１の後端から立ち上がり、その両側部を該両側板６ｂ２、６ｂ２の後端に接合固定した背板６ｂ３とで構成したもので、上部及び前部が開口した箱状の部材である。
【００４２】
前記軸案内部材６ｃは、図７(a)、図９(a)、(b)、図１０(e)、図１１(a)〜(c)、図１２(a)〜(c)及び図１３(a)、(b)に示すように、ほぼ中央部に前記軸部材６ｄを回転及び進退自在に挿入した軸穴６ｃｈを開口したほぼ四辺形の金属板材であり、前記のように、前記枠体６ｂを構成する底板６ｂ１にその下面を、左右側面を該枠体６ｂを構成する両側板６ｂ２、６ｂ２に固設した部材である。前記枠体６ｂの開口している前部を閉じるものでもある。
【００４３】
前記軸部材６ｄは、図７(a)、図８、図９(a)、(b)、図１０(e)、図１１(a)〜(c)、図１２(a)〜(c)及び図１３(a)、(b)に示すように、かつ、前記したように、前記軸案内部材６ｃの軸穴６ｃｈに回転自在かつ進退自在に装入した丸棒状部材であり、その後部は、更に前記角度保持手段６ｅの内部空間中を後方に延長し、更にその後方の部位は前記進出阻止手段６ｇの軸穴６ｇｈを貫通させてその後方に突出させ、その後方への突出部を前記コイルバネ６ｆの前部側に進入させたものである。
【００４４】
該軸部材６ｄは、図１０(c)、図１１(a)〜(c)及び図１２(a)に示すように、その前方への進出状態で、前記角度保持手段６ｅ内に位置することとなる係止突起６ｄ１をその周側に構成してあり、更に、図７、図９(a)、(b)、図１１(a)〜(c)及び図１２(a)〜(c)に示すように、同様に前方への進出状態で、前記進出阻止手段６ｇの後面に当接する鍔片６ｄ２を構成してある。前記係止突起６ｄ１は、後述するように、軸部材６ｄの進出状態の維持及び角度維持並びに後退時の後退状態の維持のために機能する。また前記鍔片６ｄ２は、軸部材６ｄの進出時の一定以上の進出の阻止及び前記コイルバネ６ｆの作用の該軸部材６ｄへの伝達の作用を担うものである。
【００４５】
前記係止片６ａは、図７(a)、図８、図９(a)、(b)、図１０(a)、図１１(a)〜(c)、図１２(a)〜(c)及び図１３(a)、(b)に示すように、前記軸部材６ｄの先端にその中心を結合した該軸部材６ｄと直交する向きの両端を半円形とした長方形板状の部材である。該係止片６ａは、該軸部材６ｄが、その周側に構成してある係止突起６ｄ１を下向きとしている角度状態で、水平方向を向くように該軸部材６ｄに固設したものである。その長さ寸法は、これを水平状態にしたときに、特に図７(a)に示すように、その両端付近が、両側の前記掛止部材８、８の各掛止片部８ｂ、８ｂに係止状態になりうるものとする。
【００４６】
前記角度保持手段６ｅは、図１０(c)〜(e)、図１１(a)〜(c)、図１２(a)〜(c)及び図１３(a)、(b)に示すように、前記軸案内部材６ｃに隣接してその背後に配してある中空の角筒状部材であり、その下部に後辺側に開く係止溝６ｅ１が形成してあり、該係止溝６ｅ１に進出状態の軸部材６ｄの係止突起６ｄ１が進入係止状態となるようになっている。更に該角度保持手段６ｅの下部下面には一対のバネ座突起６ｅ２、６ｅ２が垂下状態に構成してあり、前記枠体６ｂの底板６ｂ１上に下端を当接させた小コイルバネ６ｅ３、６ｅ３の上部が該一対のバネ座突起６ｅ２、６ｅ２に外装係止状態となって、該角度保持手段６ｅに押し上げ方向の作用力を与えている。こうして軸部材６ｄの係止突起６ｄ１は係止溝６ｅ１への係止状態が維持され、該軸部材６ｄの回転は阻止される。また該軸部材６ｄに下部上面が当接することで、該角度保持手段６ｅは、それ以上の上昇が阻止される。
【００４７】
なお、この状態で、該角度保持手段６ｅの上部は、前側の軸案内部材６ｃの上面及び後方の進出阻止手段６ｇの上面より僅かに上方に浮いた状態となっており、これを手指等により押し下げると、図１２(b)に示すように、前記軸部材６ｄの係止突起６ｄ１が係止溝６ｅ１から離脱し、図１２(c)に示すように、該軸部材６ｄを、例えば、９０度だけ右回転（時計回り回転）させるようなことができるようになる。
【００４８】
前記進出阻止手段６ｇは、図７(a)、図９(a)、(b)、図１０(b)〜(d)、図１１(a)〜(c)、図１２(a)〜(c)及び図１３(a)、(b)に示すように、前記角度保持手段６ｅに隣接してその背後側に配してあるほぼ四辺形の金属板材である。この進出阻止手段６ｇは、そのほぼ中央部に前記軸部材６ｄを回転及び進退自在に装入した軸穴６ｇｈを開口し、前記枠体６ｂを構成する底板６ｂ１に下面を、左右側面を該枠体６ｂを構成する両側板６ｂ２、６ｂ２に、それぞれ固設した部材である。また前記軸穴６ｇｈは、前側、すなわち、前記軸案内部材６ｃ側から見て左側に開口する逃げ溝６ｇｍが連通状態に開口してあり、前記軸部材６ｄを、前記角度保持手段６ｅを押し下げた上で、９０度だけ前方から見て右回転させて（水平の係止片６ａを直立状態にして）、前記係止突起６ｄ１を、該逃げ溝６ｇｍに対応させ（図１２(c)参照）、該軸部材６ｄを後退させる（該係止片６ａが前記掛止部材８、８の掛止片部８ｂ、８ｂから外れて後退可能となっている）と、該係止突起６ｄ１は、該逃げ溝６ｇｍを通過して該進出阻止手段６ｇの背後側に移動することができることになる（図１３(a)参照）。この後、該軸部材６ｄを、例えば、９０度左回転させると、該係止突起６ｄ１が該進出阻止手段６ｇの背後に当接して該軸部材６ｄの前方進出が阻止されることになる。この状態で、前記係止片６ａは、図１３(b)に示すように、また水平状態になるが、軸部材６ｄと共に後退状態であり、前記掛止部材８、８の掛止片部８ｂ、８ｂと係止状態にはならない。
【００４９】
前記コイルバネ６ｆは、図７(a)、図９(a)、(b)、図１１(a)〜(c)、図１２(a)〜(c)及び図１３(a)、(b)に示すように、かつ、前記したように、その前部側は、前記軸部材６ｄの後部の後方への突出部に外装し、かつ前端は、該軸部材６ｄの後部途中に構成してある鍔片６ｄ２に当接状態にしてある。また該コイルバネ６ｆの後端は、前記枠体６ｂの背板６ｂ３の前面に当接状態に配してある。このコイルバネ６ｆは、軸部材６ｄを進出方向に付勢するものである。
【００５０】
従って、図１３(b)に示すように、係止片６ａが水平方向を向き、係止突起６ｄ１が前記進出阻止手段６ｇの背後に当接することで進出が阻止されている軸部材６ｄについて、その状態から９０度右回転させて、図１３(a)に示すように、係止片６ａを垂直方向に向け、かつ該係止突起６ｄ１を該進出阻止手段６ｇの軸穴６ｇｈに形成した逃げ溝６ｇｍに対応させると、前記コイルバネ６ｆの作用で前方に付勢されている軸部材６ｄは、該係止突起６ｄ１が該逃げ溝６ｇｍを通じて前進移動できるので、前方に移動し、図１２(c)に示すように、その鍔片６ｄ２の前面が該進出阻止手段６ｇの背面に当接するまで進出動作する。同図に示すように、このとき係止片６ａは、両側の掛止部材８、８の間で垂直状態にあり、それらの各掛止片部８ｂ、８ｂに係止状態にはならない。この状態から該軸部材６ｄを前方から見て９０度左回転させると、図１２(a)に示すように、その係止突起６ｄ１は、前記角度保持手段６ｅの下部の係止溝６ｅ１に係止し、その回転が阻止された状態になる。同時に、前記係止片６ａは、その両端付近が、図７(a)に示すように、両側の掛止部材８、８の各掛止片部８ｂ、８ｂに係止状態になる。
【００５１】
前記固定手段６は、図３(a)、(b)及び図９(a)、(b)に示すように、かつ前記したように、前記下部支持支柱７ｂの上端及び前記上部支持支柱７ａの下端にそれぞれ固設するものである。
【００５２】
該下部支持支柱７ｂは、図６(b)に示すように、下端に固定鍔７ｂ１を備えた角筒状（又は厚板状）の部材であり、該固定鍔７ｂ１を高さ調整用の介在板７ｂ２、７ｂ２…を介して床面ｆ上に配置し、床スラブに固定したアンカーボルト７ｂ３、７ｂ３…で床面ｆ上に固定したものである。位置関係は、インナーガラスを構成する各隣接する板ガラス２、２の隣接部中央に対応させた、その外側（アウターガラス１との間）の位置である。
【００５３】
前記上部支持支柱７ａは、図６(a)に示すように、上端に固定鍔７ａ１を備えた角筒状（又は厚板状）の部材であり、該固定鍔７ａ１を高さ調整用の介在板７ａ２、７ａ２…を介して天井ｒ部を支持する横架材（躯体）ｒ２の下面に接合状態に配置し、ボルト・ナット７ａ３、７ａ３で固定したものである。該上部支持支柱７ａの位置関係は、インナーガラスを構成する各隣接する板ガラス２、２の隣接部中央に対応させた、その外側（アウターガラス１との間）の位置である。
【００５４】
前記固定手段６は、前記し、かつ図３(a)、(b)及び図９(a)、(b)に示すように、前記上部支持支柱７ａの下端及び前記下部支持支柱７ｂの上端にそれぞれ固設したものである。この固定手段６の固設はボルトによって行っているが、固設手段は、云うまでもなく自由である。固定手段６を設置すべき高さ方向の位置関係は、各隣接する板ガラス２、２の掛止部材８、８を取り付けてある部位と対面する高さ位置である。この実施例では、特に図３(a)、(b)に示すように、高さ方向の二箇所に設置した。前記上部支持支柱７ａの下端の高さ及び前記下部支持支柱７ｂの上端の高さは、それぞれに設置する固定手段６、６の高さが前記掛止部材８、８と対応することとなるように設定する。
【００５５】
この実施例のダブルガラススキン用のインナーガラススキン構造は、以上のように構成したものであり、アウターガラス１の内側にインナーガラスを設置してダブルガラススキンを構成し、その効果、すなわち、室内の冷房時には日射等による窓面熱負荷の低減を図り、暖房時には日射等により暖められた空気を熱回収することで暖房効率を高めることができるというような効果を得ることができる。アウターガラス１とインナーガラスとを新たに同時に設置する場合ばかりでなく、既設のガラスカーテンウォールの内側に後付でインナーガラスを設置する場合にも適用できるものである。いずれにしても建物の内部からの工事のみでこれができる利点もある。
【００５６】
この実施例では、インナーガラスとして用いる板ガラス２、２…は、前記のように、その周囲が枠体で支持されているものではなく、かつ全ての板ガラス２、２…が直列に配列され、インナーガラスの面に段差が生じていない。それ故に意匠的に非常に優れたものとなっている。
【００５７】
以上のように、インナーガラスを構成する板ガラス２、２…は、その四辺を枠体で固定保持するものではないので、ガラスの強度だけでその形状を保持することになり、大開口にこれを設置する場合には、剛性が不足する可能性がある。しかし、前記のように、該板ガラス２、２…は、各隣接する二枚の板ガラス２、２の側部毎に、その高さ方向の一定箇所で、前記固定手段６及び掛止部材８、８により、点支持的に支持されるものであり、特にこの実施例では、高さ方向の二箇所で、図３(a)、(b)、図７(a)、図８及び図９(a)、(b)に示すように、支持されるものであるため、その剛性不足はこれで補われるようになっている。それ故に地震等の振動乃至揺動によってもそれらの面に直交する方向の変形が必要以上に生じることは無く、更に面方向の動きも抑制されることになる。
【００５８】
前記板ガラス２、２…は、前記のように、その下部に戸車３、３が取り付けてあり、これによって前記下部レール部材４上をその長さ方向に沿って移動可能になっており、かつ上部も前記上部レール部材５で同様にその長さ方向に移動可能に支持されている。他方、前記のように、該板ガラス２、２…は、前記固定手段６、６…及び掛止部材８、８…によって固定されている。従って、該板ガラス２、２…は、通常は、固定状態にあり、そのままでは動くことはないし、動かすことはできない。
【００５９】
しかし、前記固定手段６、６…は、前記したように、その係止片６ａを掛止部材８、８…の掛止片部８ｂ、８ｂから、容易に外すことが可能であり、そうすれば、上部レール部材５及び下部レール部材４に沿って移動させることが可能になり、アウターガラス１の内面やインナーガラスを構成する板ガラス２、２…の内面、或いはその間の床、その間の空間に配することのあるブラインド等の清掃、その他のメンテナンスを行うことが可能になる。関係する固定手段６、６…を関係する掛止部材８、８…から外した上で、先ず前記退避部９にこれに隣接する板ガラス２を移動させ、順次移動させた板ガラス２に隣接する板ガラス２を移動によって空いた位置に移動させることを繰り返して、目的とする板ガラス２を隣接する位置に移動させ、その部位を空けることができる。
【００６０】
固定手段６の係止又は係止解除操作は、次のように行う。
解除動作は、若干、繰り返しになるが、更に詳しく説明する。
図７(a)及び図１２(a)は、固定手段６の係止片６ａの両端が両側の掛止部材８、８の掛止片部８ｂにそれぞれ係止し、隣接する両側の板ガラス２、２の側部を固定保持している状態を示している。この固定状態を解除する場合は、室内側から、両側の板ガラス２、２の側部の縁部材２ｅ、２ｅに固設してある閉塞片２ｆ、２ｆを手指で押して、外側に変形させつつ開き、その外側に位置する固定手段６の角度保持手段６ｅを、図１２(b)に示すように、押し下げ、押し下げた状態で、係止片６ａを掴んでこれを９０度右回転させる。以上のように、該角度保持手段６ｅを押し下げると、軸部材６ｄの係止突起６ｄ１が該角度保持手段６ｅの係止溝６ｅ１から外れ、該軸部材６ｄは規制が解除され、自由に回転できるようになる。
【００６１】
こうして、図１２(c)に示すように、軸部材６ｄを係止片６ａと共に９０度右回転させた後、図１３(a)に示すように、該軸部材６ｄを、前記コイルバネ６ｆに抗して後退させる。該軸部材６ｄの係止突起６ｄ１は、このとき、前記進出阻止手段６ｇの逃げ溝６ｇｍを通じて移動する。係止片６ａは、前記のように、９０度右回転させたことにより、その両端部が左右両側の掛止部材８、８の掛止片部８ｂ、８ｂから離脱しているので、不都合無く後退動作ができる。軸部材６ｄの以上の後退動作は、図１３(a)に示すように、係止突起６ｄ１が進出阻止手段６ｇの背後に至るまで行い、その後すぐに、軸部材６ｄを係止片６ａと共に逆回転（左回転）させ、該係止突起６ｄ１を該進出阻止手段６ｇの背後側に係止させる。この逆回転は、該係止突起６ｄ１が該進出阻止手段６ｇの背後側に係止し、該軸部材６ｄのコイルバネ６ｆによる進出動作が阻止されるまで行えば、特に不都合ではないが、図１３(b)に示すように、９０度ほど左回転させると、係止片６ａが水平状態になり、係止突起６ｄ１も前記逃げ溝６ｇｍから十分離れるのでより安定した状態になる。
【００６２】
このように固定手段６、６…を解除状態にして、前記のような板ガラス２、２…の移動を行うことができる。
【００６３】
固定手段６による係止固定動作は、次のように行う。
基本的に、解除動作の逆の動作を行えばよい。図１３(b)に示す係止突起６ｄ１が進出阻止手段６ｇの背後に係止している状態から、係止片６ａを掴んで９０度の右回転をさせ、図１３(a)に示すように、該係止片６ａを垂直状態にする。こうすると、係止突起６ｄ１が進出阻止手段６ｇの逃げ溝６ｇｍに一致する位置に移動し、特に抑えていなければ、前記コイルバネ６ｆの作用で、軸部材６ｄは進出動作をし、図１２(c)に示すように、該係止突起６ｄ１が逃げ溝６ｇｍから抜け出て、前記角度保持手段６ｅ内の後部に位置するところで停止する。これは、同図に示すように、該軸部材６ｄの後部に配してある前記鍔片６ｄ２が進出阻止手段６ｇの背後に当接するからである。
【００６４】
このとき、軸部材６ｄの先端の係止片６ａは、隣接する板ガラス２、２に配した掛止部材８、８の間で垂直に立っている状態及び位置関係となっており、この状態から該係止片６ａを９０度左回転させれば、図１２(a)、(b)及び図７(a)に示すように、該係止片６ａはその両端付近が両側の掛止部材８、８の掛止片部８ｂ、８ｂに係止することとなる。また軸部材６ｄの係止突起６ｄ１も角度保持手段６ｅの下部の係止溝６ｅ１に係止することになる。係止突起６ｄ１は、上記係止に至るまでは、該角度保持手段６ｅの内側を周回移動し、特にその下部側ではその内面に接してこれを押し下げながら移動し、該係止溝６ｅ１に至って、その内面から外れて押し下げ作用が無くなり、該角度保持手段６ｅが浮上し、その結果、該係止溝６ｅ１に嵌合係止することになる。なお、該角度保持手段６ｅの押し上げ動作は、前記小コイルバネ６ｅ３、６ｅ３の作用による。
【００６５】
こうして、前記したように、各隣接する板ガラス２、２の側部は確実に保持固定されることになる。
【産業上の利用可能性】
【００６６】
本発明のダブルガラススキン用のインナーガラススキン構造は、建築の分野で有効に利用できる。
【符号の説明】
【００６７】
１    アウターガラス
２    板ガラス
２ａ  支分ガラス
２ｂ  結合材
２ｃ  乾燥剤
２ｄ  介在片
２ｅ  縁部材
２ｅ１  下部横片
２ｅ２  縦片
２ｆ  閉塞片
２ｇ  緩衝材
３    戸車
３ａ  取付片
３ｂ  ブラケット
３ｃ  補助片
４    下部レール部材
４ａ  上部材
４ａ１  下部レール部材の突条部
４ａ２  側片
４ａ３  取付片
４ａ４  ブラシ部
４ｂ  下部材
４ｂ１  側片
４ｂ２  アンカーボルト
４ｃ  カバー材
５    上部レール部材
５ａ  側片
５ｂ  中間材
５ｃ  ブラシ部
６    固定手段
６ａ  係止片
６ｂ  枠体
６ｂ１  底板
６ｂ２  側板
６ｂ３  背板
６ｃ  軸案内部材
６ｃｈ  軸案内部材の軸穴
６ｄ  軸部材
６ｄ１  軸部材の係止突起
６ｄ２  軸部材の鍔片
６ｅ  角度保持手段
６ｅ１  角度保持手段の係止溝
６ｅ２  角度保持手段のバネ座突起
６ｅ３  小コイルバネ
６ｆ  コイルバネ（付勢手段）
６ｇ  進出阻止手段
６ｇｈ  進出阻止手段の軸穴
６ｇｍ  軸穴の逃げ溝
７ａ  上部支持支柱（支持手段）
７ａ１  上部支持支柱の固定鍔
７ａ２  介在板
７ａ３  ボルト・ナット
７ｂ  下部支持支柱（支持手段）
７ｂ１  下部支持支柱の固定鍔
７ｂ２  介在板
７ｂ３  アンカーボルト
８    掛止部材
８ａ  取付部
８ｂ  掛止片部
８ａ１  横片
９    退避部
９ｃ  カバー材
ｆ    床面
ｒ    天井
ｒ１  横架材（躯体）
ｒ２  横架材（躯体）
【図１】
0005621088.tif 000002
【図２】
0005621088.tif 000003
【図３】
0005621088.tif 000004
【図４】
0005621088.tif 000005
【図５】
0005621088.tif 000006
【図６】
0005621088.tif 000007
【図７】
0005621088.tif 000008
【図８】
0005621088.tif 000009
【図９】
0005621088.tif 000010
【図１０】
0005621088.tif 000011
【図１１】
0005621088.tif 000012
【図１２】
0005621088.tif 000013
【図１３】
0005621088.tif 000014